(57)【要約】【課題】大形化を招いたり、コストの上昇を招いたりすることなく、大径のコイル導体を用いて電機子コイルを構成できる３相回転電機用ステータを提供する。【解決手段】一方の端末部が共通接続される４個の単位コイルがステータコアＣの１２０度の極弧角を有する領域内に順次並んで単位コイル群を構成するように３つの相コイル２ｕないし２ｗを構成する単位コイルＬ1，Ｌ2，…が巻回されて、ステータコアの周方向に並ぶ３つの単位コイル群Ｇｕ〜Ｇｗが構成される。ステータコアＣの軸線方向の一端側に、３つの単位コイル群にそれぞれ対向する裸導体からなる３つの接続導体が配置されて、各単位コイル群を構成する単位コイルのそれぞれの一方の端末部が対応する接続導体に直接接続され、各単位相コイルを構成する２つの単位コイルの他方の端末部相互間は絶縁被覆電線からなる渡り導体を通して接続される。【選択図】    図５
2006197674.tif 000002
【特許請求の範囲】
【請求項１】
環状のヨークと該環状のヨークに分離可能な連結部を介して連結されて該ヨークから等角度間隔で放射状に突出した６ｎ個（ｎは偶数）のティースとを有する６ｎ極のステータコアと、前記ステータコアの６ｎ個のティースにそれぞれ巻回された６ｎ個の単位コイルとを有し、前記６ｎ個の単位コイルが３つの相コイルに分けられて該３つの相コイルがデルタ結線されることにより３相の電機子コイルが構成され、各相コイルは互いに直列に接続された２つの単位コイルからなる単位相コイルがｎ個並列に接続された構成を有し、前記電機子コイルの隣接する相コイルの共通接続点を構成する３つの集電部からそれぞれ３相の外部端子が引き出される３相回転電機用ステータにおいて、
各集電部に一方の端末部が接続される２ｎ個の単位コイルが前記ステータコアの１２０度の極弧角を有する領域内に順次並んで一つの単位コイル群を構成するように前記３つの相コイルを構成する単位コイルが巻回されて、ステータコアの周方向に並ぶ３つの単位コイル群が構成され、
各単位コイル群を構成する単位コイルのそれぞれの一方の端末部が前記ステータコアの軸線方向の一端側に導出され、
前記ステータコアの軸線方向の一端側に、前記３つの単位コイル群にそれぞれ対向する裸導体からなる３つの接続導体が配置されて、各単位コイル群を構成する単位コイルのそれぞれの一方の端末部が対応する接続導体に接続され、
各単位相コイルを構成する２つの単位コイルの他方の端末部相互間は、絶縁被覆電線からなる渡り導体を通して接続されていること、
を特徴とする３相回転電機用ステータ。
【請求項２】
環状のヨークと該環状のヨークに分離可能な連結部を介して連結されて該ヨークから等角度間隔で放射状に突出した１２個のティースとを有して１０極のロータとともに用いられる１２極のステータコアと、前記ステータコアの１２個のティースにそれぞれ巻回された１２個の単位コイルとを有し、前記１２個の単位コイルが３つの相コイルに分けられて該３つの相コイルがデルタ結線されることにより３相の電機子コイルが構成され、各相コイルは互いに直列に接続された２つの単位コイルからなる単位相コイルが２個並列に接続された構成を有し、前記電機子コイルの隣接する相コイルの共通接続点を構成する３つの集電部からそれぞれ３相の外部端子が引き出される３相回転電機用ステータにおいて、
各集電部に一方の端末部が接続される４個の単位コイルが前記ステータコアの１２０度の極弧角を有する領域内に順次並んで一つの単位コイル群を構成するように前記３つの相コイルを構成する単位コイルが巻回されて、前記ステータコアの周方向に並ぶ３つの単位コイル群が構成され、
各単位コイル群を構成する４個の単位コイルのそれぞれの一方の端末部が前記ステータコアの軸線方向の一端側に導出され、
前記ステータコアの軸線方向の一端側に、前記３つの単位コイル群にそれぞれ対向する裸導体からなる３つの接続導体が配置されて、各単位コイル群を構成する単位コイルのそれぞれの一方の端末部が対応する接続導体に直接接続され、
各単位相コイルを構成する２つの単位コイルの他方の端末部相互間は、絶縁被覆電線からなる渡り導体を通して接続されていること、
を特徴とする３相回転電機用ステータ。
【請求項３】
前記各接続導体は円弧状を呈するように形成されて板面を前記ステータコアの軸線と直交させた状態で配置された導電板からなっていて、前記３つの接続導体がそれぞれの一方の板面を同一の平面上に位置させた状態で配置されている請求項１または２に記載の３相回転電機用ステータ。
【請求項４】
前記渡り導体は前記３つの接続導体と前記ステータコアの軸線方向の一端側のコイルエンドとの間に配置されている請求項３に記載の３相回転電機用ステータ。
【発明の詳細な説明】
【技術分野】
【０００１】
本発明は、磁石式３相交流発電機などの３相回転電機に用いるステータに関するものである。
【背景技術】
【０００２】
磁石式３相交流発電機などの３相回転電機に用いるステータとして、環状のヨークと該環状のヨークから放射状に突出した６ｎ個（ｎは偶数）のティースとを有するステータコアと、６個のティースにそれぞれ巻回された６ｎ個のコイルとを備えたものが用いられている。この種のステータにおいては、６ｎ個のコイルがスター結線またはデルタ結線されることにより３相の電機子コイルが構成される。
【０００３】
図１は、一例として、インナーロータ型の磁石式３相交流発電機において１０極の磁石回転子とともに用いられる１２極のステータ１を示したものである。図示のステータは、環状に形成されたヨークＹと、ヨークＹの内周から径方向の内側に放射状に突出した１２個のティースＴ1ないしＴ12とを備えて各ティースの先端にロータの磁極に対向させられる磁極部を形成したステータコアＣと、ティースＴ1ないしＴ12にそれぞれ巻回された単位コイルＬ1ないしＬ12とからなっている。
【０００４】
図１に示したステータでは、単位コイルＬ1，Ｌ2，Ｌ7及びＬ8がＵ相の相コイルを構成し、単位コイルＬ5，Ｌ6，Ｌ11及びＬ12がＶ相の相コイルを構成している。また単位コイルＬ3，Ｌ4，Ｌ9及びＬ10がＷ相の相コイルを構成している。そして、例えば図２に示したように、Ｕ相ないしＷ相の相コイル２ｕないし２ｗがデルタ結線されることにより、３相の電機子コイル２が構成され、隣接する相コイルの共通接続点を構成する３つの集電部から３相の外部端子が導出される。すなわち、Ｕ相の相コイル２ｕとＶ相の相コイル２ｖとの共通接続点、Ｖ相の相コイル２ｖとＷ相の相コイル２ｗとの共通接続点及びＷ相の相コイル２ｗとＵ相の相コイル２ｕとの共通接続点をそれぞれ構成する３つの集電部３ｕないし３ｗからＵ，Ｖ，Ｗ３相の外部端子が導出される。
【０００５】
図２において、実線で示した単位コイルは図１に示されたステータコアの内側から見て時計回りに巻回され、破線で示した単位コイルは図１のステータコアの内側から見て反時計回りに巻回されている。
【０００６】
図２に示した例では、各相コイルが直列に接続された４つの単位コイルにより構成されているが、電機子コイルに大電流を流す場合には、互いに直列に接続された２つの単位コイルにより単位相コイルを構成して、ｎ個の単位相コイルを並列に接続することにより各相コイルを構成する。図３はその一例を示したものである。この例では、互いに直列に接続された２つの単位コイルＬ1，Ｌ2、及び単位コイルＬ7，Ｌ8がそれぞれ単位相コイル２u1及び２u2を構成しており、これらの単位相コイルが互いに並列に接続されることによりＵ相の相コイル２ｕが構成されている。また互いに直列に接続された２つの単位コイルＬ5，Ｌ6及び単位コイルＬ11，Ｌ12がそれぞれ単位相コイル２v1及び２v2を構成しており、これらの単位相コイルが互いに並列に接続されることによりＶ相の相コイル２ｖが構成されている。同様に、互いに直列に接続された２つの単位コイルＬ3，Ｌ4及び単位コイルＬ9，Ｌ10がそれぞれ単位相コイル２w1及び２w2を構成しており、これらの単位相コイルが互いに並列に接続されることによりＷ相の相コイル２ｗが構成されている。
【０００７】
上記のステータの各単位コイルを構成するコイル導体としては、通電電流の大きさに応じて適宜の断面積を有するものを用いる。断面積が大きいコイル導体を用いる場合には、コイル導体の成形が難しくなるため、ティース間の狭いスペースを通して各ティースに単位コイルを巻回することが困難になる。特に図１に示したようなインナーロータ型の３相回転電機に用いるステータコアに断面積が大きいコイル導体を巻回することは不可能に近い。
【０００８】
そのため、断面積が大きいコイル導体によりコイルを巻回する場合には、ステータコアとして、各ティースがヨークに分離可能な結合部を介して連結されたもの（分割形コア）を用いて、ヨークから分離したティースにコイルを巻回した後に、該ティースをヨークに結合してステータコアを組み立てるようにしている。
【０００９】
図４（Ａ）ないし（Ｃ）はそれぞれ図１に示したステータのＵ相ないしＷ相のコイルをステータコアの内側から見て示した展開図である。この例では、単位コイルＬ1及びＬ2を連続して巻回して単位相コイル２u1を構成し、単位コイルＬ7及びＬ8を連続して巻回して単位相コイル２u2を構成している。また単位コイルＬ5及びＬ6を連続して巻回して単位相コイル２v1を構成し、単位コイルＬ11びＬ12を連続して巻回して単位相コイル２v2を構成している。更に単位コイルＬ3及びＬ4を連続して巻回して単位相コイル２w1を構成し、単位コイルＬ9及びＬ10を連続して巻回して単位相コイル２w2を構成している。
【００１０】
断面積が大きいコイル導体を用いる場合には、ヨークから分離した２つのティースに隣り合う単位コイルを連続巻きして単位相コイルを形成した後、該単位相コイルが巻回された２つティースがヨークに連結される。単位相コイルが巻かれたティースがすべてヨークに連結された後、各相の単位相コイルが極性を合わせた状態で、渡り線を通して接続されて図３に示すような電機子コイルが構成される。この種のステータは例えば特許文献１に示されている。
【００１１】
なお図４（Ａ）において各単位相コイルの両端に付けられた符号において、括弧の前に付されたＵないしＷの符号は、それぞれの端子がＵ相ないしＷ相の集電部３ｕないし３ｗに接続される端子であることを示している。また（Ｕ＋），（Ｖ＋）及び（Ｗ＋）はそれぞれＵ相のコイル、Ｖ相のコイル及びＷ相のコイルの巻始めであることを示し、（Ｕ−），（Ｖ−）及び（Ｗ−）はそれぞれＵ相のコイル、Ｖ相のコイル及びＷ相のコイルの巻き終わりであることを示している。例えば、Ｗ（Ｕ＋）はＷ相の集電部３ｗに接続される端子であると同時にＵ相のコイルの巻始めでもあることを示し、Ｕ（Ｕ−）はＵ相の集電部３ｕに接続される端子であると同時にＵ相のコイルの巻き終わりでもあることを示している。図４（Ａ）の例では、単位相コイル２u1及び２u2の端子Ｗ（Ｕ＋）同士、及び単位相コイル２u1及び２u2の端子Ｕ（Ｕ−）同士が接続されてＵ相の相コイル２ｕが構成される。図４（Ｂ）及び（Ｃ）にそれぞれ示された単位相コイルの両端に付された符号の意味も同様であり、隣接相の相コイルの同じ相の端子間、例えばＵ（Ｕ−）とＵ（Ｕ＋）との間、Ｖ（Ｖ−）とＶ（Ｗ＋）との間及びＷ（Ｕ＋）とＷ（Ｗ−）との間がそれぞれ接続されて３相の電機子コイルが構成される。
【特許文献１】特開２００２−３４１９０号公報
【発明の開示】
【発明が解決しようとする課題】
【００１２】
図３及び図４に示したステータにおいては、隣接するティースに巻回された単位コイル相互間を接続する渡り導体、例えば、Ｕ（Ｕ−）とＵ（Ｕ＋）との間を接続する渡り導体が非常に短くなるため、電機子コイルに流す電流が大きく、渡り導体として径が太いものを用いる場合に、その成形が難しくなるという問題があった。
【００１３】
そこで、各単位相コイルの端末部と集電部との間をステータコアの軸線方向の一端側のコイルエンドに配置したバスバー（裸の導電板からなる接続導体）を介して接続することが考えられるが、図３及び図４に示したように各単位相コイルを構成した場合には、複数のバスバーがステータコアの軸線方向にオーバラップする部分が生じるのを避けられなかった。バスバーは裸導体からなるため、複数のバスバーがオーバラップする箇所では、オーバラップするバスバー相互間に絶縁スペーサを挿入する必要があり、ステータの軸線方向寸法が大きくなってステータが大形化するという問題が生じる。
【００１４】
また電機子コイルに流す電流が特に大きく、コイル導体として特に径が大きいものを用いる場合、例えば直径が１．５mm以上のコイル導体を用いる場合には、その成形が非常に難しくなるため、図４に示したように２つのティースにコイルを連続して巻くことが困難になる。この場合には、隣り合う２つの単位コイルを連続巻きせずに、単位コイルが巻回された各ティースをヨークに連結した後、すべての接続箇所をバスバーにより接続することが考えられるが、このように構成した場合には、バスバーの数が著しく多くなるため、ステータの軸線方向の端部付近の構造が複雑になってコストが高くなる上に、ステータの軸線方向寸法が大きくなって、ステータが大形化するのを避けられない。
【００１５】
本発明の目的は、大形化を招いたり、コストの上昇を招いたりすることなく、径が大きいコイル導体を用いて電機子コイルを構成することができるようにした３相回転電機用ステータコアを提供することにある。
【課題を解決するための手段】
【００１６】
本発明は、３相回転電機に用いるステータに係わるもので、本発明が対象とするステータにおいては、環状のヨークと該環状のヨークに分離可能な連結部を介して連結されて該ヨークから等角度間隔で放射状に突出した６ｎ個（ｎは偶数）のティースとを有する６ｎ極のステータコアと、該ステータコアの６ｎ個のティースにそれぞれ巻回された６ｎ個の単位コイルとが設けられ、６ｎ個の単位コイルが３つの相コイルに分けられて該３つの相コイルがデルタ結線されることにより３相の電機子コイルが構成される。各相コイルは互いに直列に接続された２つの単位コイルからなる単位相コイルがｎ個並列に接続された構成を有し、電機子コイルの隣接する相コイルの共通接続点を構成する３つの集電部からそれぞれ３相の外部端子が引き出される。
【００１７】
本発明においては、各集電部に一方の端末部が接続される２ｎ個の単位コイルがステータコアの１２０度の極弧角を有する領域内に順次並んで一つの単位コイル群を構成するように３つの相コイルを構成する単位コイルが巻回されて、ステータコアの周方向に並ぶ３つの単位コイル群が構成され、各単位コイル群を構成する単位コイルのそれぞれの一方の端末部がステータコアの軸線方向の一端側に導出される。またステータコアの軸線方向の一端側に、３つの単位コイル群にそれぞれ対向する裸導体からなる３つの接続導体が配置されて、各単位コイル群を構成する単位コイルのそれぞれの一方の端末部が対応する接続導体に接続され、各単位相コイルを構成する２つの単位コイルの他方の端末部相互間が、絶縁被覆電線からなる渡り導体を通して接続される。
【００１８】
上記のように、デルタ結線される３相の電機子コイルの各集電部に一方の端末部が共通接続される一連の単位コイルがステータコアの周方向に順次並んで一つの単位コイル群を構成するように各相コイルを構成する単位コイルを巻回してステータコアの周方向に沿って並ぶ３つの単位コイル群を構成するとともに、ステータコアの軸線方向の一端側に、３つの単位コイル群にそれぞれ対向する裸導体からなる３つの接続導体を配置して、ステータコアの軸線方向の一端側に導出した各単位コイル群を構成する単位コイルのそれぞれの一方の端末部を対応する接続導体に接続する構成とすると、接続導体は３つだけ設ければよく、しかも３つの接続導体は相互に電気的に接触させることなく配置することができるため、接続導体相互間に絶縁スペーサを挿入する必要がなくなる。従って、ステータの軸線方向寸法が大きくなってステータが大形化したり、多くの接続導体が必要になってコストが上昇したりするのを防ぐことができる。
【００１９】
また上記のように構成すると、渡り線により接続される単位コイルの端末部相互間の距離が長くなるため、渡り線として径が大きいものを用いる必要がある場合でも、渡り線を構成する電線の成形を容易にすることができる。従って、各相コイルに大電流を流す必要があるステータの製造を容易にすることができる。
【００２０】
本発明が対象とする回転電機用ステータの典型的なものは、環状のヨークと該環状のヨークに分離可能な連結部を介して連結されて該ヨークから等角度間隔で放射状に突出した１２個のティースとを有して、１０極のロータとともに用いられる１２極のステータコアを備えたもの（ｎ＝２の場合）である。この種のステータは、内燃機関により取り付けられる磁石式３相交流発電機を構成するためによく用いられる。
【００２１】
上記のような１２極のステータコアが用いられる場合、本発明の好ましい態様では、各集電部に一方の端末部が接続される４個の単位コイルがステータコアの１２０度の極弧角を有する領域内に順次並んで一つの単位コイル群を構成するように３つの相コイルを構成する単位コイルが巻回されて、ステータコアの周方向に並ぶ３つの単位コイル群が構成され、各単位コイル群を構成する４個の単位コイルのそれぞれの一方の端末部がステータコアの軸線方向の一端側に導出される。
【００２２】
そして、ステータコアの軸線方向の一端側に３つの単位コイル群にそれぞれ対向する裸導体からなる３つの接続導体が配置されて、各単位コイル群を構成する単位コイルのそれぞれの一方の端末部が対応する接続導体に直接接続され、各単位相コイルを構成する２つの単位コイルの他方の端末部相互間が絶縁被覆電線からなる渡り導体を通して接続される。
【００２３】
上記の各接続導体としては、円弧状を呈するように形成されて板面をステータコアの軸線と直交させた状態で配置された導電板からなるものを用いて、３つの接続導体をそれぞれの一方の板面を同一の平面上に位置させた状態で配置するのが好ましい。
【００２４】
この場合、渡り導体は３つの接続導体とステータコアの軸線方向の一端側のコイルエンドとの間に配置するのが好ましい。
【発明の効果】
【００２５】
以上のように、本発明によれば、デルタ結線される３相の電機子コイルの各集電部に一方の端末部が共通接続される単位コイルがステータコアの周方向に順次並んで一つの単位コイル群を構成するように各相コイルを構成する単位コイルを巻回して、ステータコアの周方向に沿って並ぶ３つの単位コイル群を構成するとともに、ステータコアの軸線方向の一端側に、３つの単位コイル群にそれぞれ対向する裸導体からなる３つの接続導体を配置して、ステータコアの軸線方向の一端側に導出した各単位コイル群を構成する単位コイルのそれぞれの一方の端末部を対応する接続導体に接続する構成とすることにより、３つの接続導体を相互に電気的に接触させることなく配置することができるようにしたため、接続導体を３つだけ設ければよいことと、接続導体相互間に絶縁スペーサを挿入する必要性がなくなったこととが相俟って、ステータの軸線方向端部の構成を簡単にすることができる。従って、本発明によれば、ステータの軸線方向寸法が大きくなってステータが大形化したり、多くの接続導体が必要になってコストが上昇したりするのを防ぐことができる。
【００２６】
また本発明によれば、渡り線により接続される単位コイルの端末部相互間の距離が長くなるため、渡り線として径が大きいものを用いる必要がある場合でも、渡り線を構成する電線の成形を容易にして渡り線の取付け作業を簡単にすることができる。従って、各相コイルに大電流を流す必要があるステータの製造を容易にすることができる。
【発明を実施するための最良の形態】
【００２７】
以下図面を参照して本発明の好ましい実施形態を詳細に説明する。
本発明は６ｎ個（ｎは偶数）のティースを有する６ｎ極のステータコアを用いて各ティースにコイルを集中巻きする回転電機用ステータに適用することができる。６ｎ極のステータは、４極以上の偶数極のロータと共に用いられる。ステータの極数とロータの極数とは等しくてもよいが、特に電動機においては、コギングトルクの軽減を図るために、ロータの界磁の磁極数をステータコアの極数と異ならせることがある。例えば磁石界磁を備えたロータを用いる３相ブラシレス電動機において、１２極のステータコアを用いる場合、ロータとして１０極の磁石界磁を有するものを用いると、コギングトルクを減らしながら出力を確保することができ、出力とコギングトルクのバランスをとることができる。本実施形態では、１２個のティースを有する１２極のステータを用いるものとする。
【００２８】
図５は、インナーロータ型の磁石式３相交流発電機において１０極の磁石回転子とともに用いられる１２極のステータ１に本発明を適用する場合の構成の一例を示したものである。
【００２９】
図５に示したステータは、環状に形成されたヨークＹと、ヨークＹの内周から径方向の内側に放射状に突出した１２個のティースＴ1ないしＴ12とを備えて各ティースの先端に図示しないロータ（例えば磁石回転子）の磁極に対向させられる磁極部を形成したステータコアＣと、ティースＴ1ないしＴ12にそれぞれ巻回された単位コイルＬ1ないしＬ12とからなっている。各ティースは、その後端部側に鳩尾状の雄形結合部Ｔａを有していて、この結合部がヨークＹに形成された鳩尾状の溝からなる雌形結合部Ｙａに嵌合されることによりヨークＹに分離可能な状態で連結される。
【００３０】
図５に示されたステータ１は図１に示された従来例のステータと同様の構成を有するように図示されているが、図５に示したステータにおいては、隣り合う２つのティースにコイルを連続巻きすることなく、各ティース毎に単位コイルが巻回されている。単位コイルが巻回された各ティースは、巻回された単位コイルの一方の端末部及び他方の端末部を共にステータコアＣの軸線方向の一端側に導出した状態でヨークＹに取り付けられている。
【００３１】
図５に示したステータにおいては、単位コイルＬ1，Ｌ2，Ｌ7及びＬ8がＵ相の相コイルを構成し、単位コイルＬ5，Ｌ6，Ｌ11及びＬ12がＶ相の相コイルを構成している。また単位コイルＬ3，Ｌ4，Ｌ9及びＬ10がＷ相の相コイルを構成している。
【００３２】
本実施形態では、図６に示したように、互いに直列に接続された２つの単位コイルＬ1，Ｌ8、及び単位コイルＬ2，Ｌ7がそれぞれ単位相コイル２u1及び２u2を構成しており、これらの単位相コイルが互いに並列に接続されることによりＵ相の相コイル２ｕが構成されている。また互いに直列に接続された２つの単位コイルＬ5，Ｌ12及び単位コイルＬ6，Ｌ11がそれぞれ単位相コイル２v1及び２v2を構成しており、これらの単位相コイルが互いに並列に接続されることによりＶ相の相コイル２ｖが構成されている。更に互いに直列に接続された２つの単位コイルＬ3，Ｌ10及び単位コイルＬ4，Ｌ9がそれぞれ単位相コイル２w1及び２w2を構成しており、これらの単位相コイルが互いに並列に接続されることによりＶ相の相コイル２ｗが構成されている。これら３つの相コイル２ｕないし２ｗがデルタ結線されることにより３相の電機子コイル２が構成され、隣接する相コイルの共通接続点を構成する３つの集電部３ｕないし３ｗからそれぞれ３相の外部端子が導出される。
【００３３】
本発明においては、各集電部に一方の端末部が接続される２ｎ個（図示の例ではｎ＝２）の単位コイルがステータコアの１２０度の極弧角を有する領域内に順次並んで一つの単位コイル群を構成するように３つの相コイル２ｕ，２ｖ及び２ｗのそれぞれを構成する単位コイルが巻回されて、ステータコアの周方向に並ぶ３つの単位コイル群が構成される。
【００３４】
また本発明においては、各単位相コイルが、十分に大きい角度間隔（機械角）を隔てて配置されて互いに直列に接続される２つの単位コイル（同位相の電圧を誘起する単位コイル）により構成されるように、各単位相コイルを構成する単位コイルの巻方向と、各単位相コイルを構成する２つの単位コイルの組合せが定められる。図示の例では、機械角で１８０°に近い角度を隔てた位置に配置された２つの単位コイルを直列に接続することにより各単位相コイルを構成するように、各単位相コイルを構成する単位コイルの組合せが定められている。例えば、相コイル２ｕは、単位コイルＬ1，Ｌ2，Ｌ3及びＬ4により構成されるが、この場合、単位相コイル２u1を構成する単位コイルとしてはＬ1とＬ2とを組み合わせるのではなく、Ｌ1とＬ8とを組み合わせるようにしている。
【００３５】
図６において、実線で示された単位コイルはステータコアの内側から見て時計回りに巻回され、波線で示された単位コイルはステータコアの内側から見て反時計回りに巻回されている。
【００３６】
なお本実施形態では、各単位相コイルを構成する単位コイルの組合せが図２に示した従来例とは異なるが、便宜上、各単位相コイルを示す符号及び各相コイルを示す符号は、図２に示したものと同じものを用いている。
【００３７】
図７（Ａ）ないし（Ｃ）はそれぞれ図５に示したステータのＵ相ないしＷ相のコイルをステータコアの内側から見て示した展開図であり、各ティースに巻回された単位コイルはその両端の端末部をステータコアの軸線方向の一端側（図７においては上側）に導出した状態で配置されている。
【００３８】
本実施形態では、各集電部に一方の端末部が接続される４個の単位コイルがステータコアの１２０度の極弧角を有する領域内に順次並んで一つの単位コイル群を構成するように３つの相コイル２ｕないし２ｗを構成する単位コイルが巻回されて、ステータコアの周方向に並ぶ３つの単位コイル群が構成される。本実施形態では、図５に示されているように、集電部３ｗに一方の端末部が接続される４個の単位コイルＬ1ないしＬ4がステータコアの１２０度の極弧角を有する領域に順次並んで一つの単位コイル群Ｇｗを構成し、集電部３ｕに一方の端末部が接続される４個の単位コイルＬ5ないしＬ8がステータコアの１２０度の極弧角を有する領域に順次並んで一つの単位コイル群Ｇｕを構成している。また集電部３ｖに一方の端末部が接続される４個の単位コイルＬ9ないしＬ12がステータコアの１２０度の極弧角を有する領域に順次並んで一つの単位コイル群Ｇｖを構成している。
【００３９】
そして、図９に示したように、ステータコアＣの軸線方向の一端側に、３つの単位コイル群ＧｕないしＧｗのコイルエンドにそれぞれ対向する裸導体からなる３つの接続導体１１ないし１３が配置されて、各単位コイル群を構成する単位コイルのそれぞれの一方の端末部が対応する接続導体に直接接続され、各単位相コイルを構成する２つの単位コイルの他方の端末部相互間が絶縁被覆電線からなる渡り導体を通して接続される。
【００４０】
図示の接続導体１１ないし１３は、所定の厚みを有する円弧状の導電板からなり、各接続導体の円弧の極弧角は１２０°よりも僅かに小さく設定されている。３つの接続導体１１ないし１３は、それぞれの一方の板面を同一の平面上に位置させた状態で、ステータコアＣの軸線方向の一方の端部側のコイルエンドに対向する位置に、相互に接触することがないようにしてステータコアの周方向に並べて配置されている。
【００４１】
更に詳細に説明すると、単位コイルＬ1ないしＬ4の一方の端末部Ｌ1aないしＬ4aは、これらの単位コイルのコイルエンドに対向するように配置された接続導体１１に設けられた孔に挿入されて蝋付けなどにより接続導体１１に直接接続され、単位コイルＬ5ないしＬ8の一方の端末部Ｌ5aないしＬ8aは、これらの単位コイルのコイルエンドに対向するように配置された接続導体１２に設けられた孔に挿入されて蝋付けなどにより接続導体１２に直接接続されている。また単位コイルＬ9ないしＬ12の一方の端末部Ｌ9aないしＬ12aは、これらの単位コイルのコイルエンドに対向するように配置された接続導体１３に設けられた孔に挿入されて蝋付けなどにより接続導体１３に直接接続されている。図９において黒丸で表示された部分は各単位コイルの一方の端末部が接続された部分を示している。
【００４２】
また図７（Ａ）及び図８に示されたように、単位コイルＬ2の他方の端末部Ｌ2bと単位コイルＬ7の他方の端末部Ｌ7bとの間が渡り導体２１を通して接続され、単位コイルＬ1の他方の端末部Ｌ1bと単位コイルＬ8の他方の端末部Ｌ8bとの間が渡り導体２２を通して接続されている。更に図７（Ｂ）及び図８に示されているように、単位コイルＬ6の他方の端末部Ｌ6bと単位コイルＬ11の他方の端末部Ｌ11bとの間が渡り導体２３を通して接続され、単位コイルＬ5の他方の端末部Ｌ5bと単位コイルＬ12の他方の端末部Ｌ12bとの間が渡り導体２４を通して接続されている。また図７（Ｃ）及び図８に示されたように、単位コイルＬ4の他方の端末部Ｌ4bと単位コイルＬ9の他方の端末部Ｌ9bとの間が渡り導体２５を通して接続され、単位コイルＬ3の他方の端末部Ｌ3bと単位コイルＬ10の他方の端末部Ｌ10bとの間が渡り導体２６を通して接続されている。
【００４３】
渡り導体２１ないし２６は、芯線が所定の径（コイル導体とほぼ同じ径）を有する中実導体からなる絶縁被覆電線をステータコアの周方向に沿うように円弧状に成形したものからなっていて、図９に示されているように、接続導体１１ないし１３とステータ鉄心Ｃの一方の軸線方向端部側のコイルエンドとの間にステータコアＣのヨークＹの外周からはみ出さないようにして配置されている。本発明においては、渡り導体を介して相互に接続される２つの単位コイルが十分に大きな角度を隔てた位置に配置されているように、各単位相コイルを構成する単位コイルの組合せが定められているため、渡り導体の径が大きい場合でも、各渡り導体の成形を容易に行なうことができる。
【００４４】
図５及び図９から明らかなように、本発明においては、デルタ結線される３相の電機子コイル２の各集電部に一方の端末部が共通接続されるすべての単位コイルがステータコアＣの周方向に順次並んで一つの単位コイル群を構成するように各相コイルを構成する単位コイルを巻回して、ステータコアＣの周方向に沿って並ぶ３つの単位コイル群ＧｕないしＧｗを構成するとともに、ステータコアＣの軸線方向の一端側に、３つの単位コイル群にそれぞれ対向する裸導体からなる３つの接続導体１１ないし１３を配置して、ステータコアの軸線方向の一端側に導出した各単位コイル群を構成する単位コイルのそれぞれの一方の端末部を対応する接続導体に接続することにより、３つの接続導体を相互に電気的に接触させることなく配置するようにしている。このように構成すると、接続導体は３つだけ設ければよく、また接続導体相互間に絶縁スペーサを挿入する必要がないため、ステータの軸線方向端部の構成を簡単にすることができる。従って、本発明によれば、ステータの軸線方向寸法が大きくなってステータが大形化したり、多くの接続導体が必要になってコストが上昇したりするのを防ぐことができる。
【００４５】
また本発明においては、渡り線により接続される単位コイルの端末部相互間の距離が長くなるため、渡り線として径が大きいものを用いる必要がある場合でも、渡り線を構成する電線の成形を容易にして渡り線の取付け作業を簡単にすることができる。従って、各相のコイルに大電流を流す必要があるステータの製造を容易にすることができる。
【００４６】
上記の実施形態では、１２個のティースを有するステータコアを用いる場合を例にとったが、本発明において、ステータコアのティースの数は１２に限られるものではなく、一般に６ｎ個（ｎは偶数）のティースを有するステータコアを用いる場合に本発明を適用することができる。
【図面の簡単な説明】
【００４７】
【図１】従来の回転電機用ステータの一例を示した正面図である。
【図２】従来の回転電機用ステータの電機子コイルの結線の一例を示した回路図である。
【図３】従来の回転電機用ステータの電機子コイルの結線の他の例を示した回路図である。
【図４】（Ａ）ないし（Ｃ）はそれぞれ図３に示した従来のステータのＵ相ないしＷ相の相コイルの構成を示した展開図である。
【図５】本発明の実施形態の構成を示した正面図である。
【図６】同実施形態の電機子巻線の結線を示した回路図である。
【図７】（Ａ）ないし（Ｃ）はそれぞれ図５の実施形態のステータのＵ相ないしＷ相の相コイルの構成を示した展開図である。
【図８】同実施形態のステータの電気的な構成を示した回路図である。
【図９】同実施形態のステータをステータコアの一方の軸線方向の端部側から見てその外観を概略的に示した正面図である。
【符号の説明】
【００４８】
１  回転電機用ステータ
２  電機子コイル
２ｕ，２ｖ，２ｗ  相コイル
２u1，２u2，２v1，２v2，２w1，２w2  単位相コイル
Ｌ1〜Ｌ12  単位コイル
１１〜１３  接続導体
２１〜２６  渡り導体
【図１】
2006197674.tif 000003
【図２】
2006197674.tif 000004
【図３】
2006197674.tif 000005
【図４】
2006197674.tif 000006
【図５】
2006197674.tif 000007
【図６】
2006197674.tif 000008
【図７】
2006197674.tif 000009
【図８】
2006197674.tif 000010
【図９】
2006197674.tif 000011